(57)【特許請求の範囲】
【請求項１】
第１の電気外科デバイス及び第１の対極板が接続可能なように構成された第１の電源装置と、第２の電気外科デバイス及び第２の対極板が接続可能なように構成された第２の電源装置と、を備え、コネクタ部を介して前記第１の電源装置と前記第２の電源装置とを電気的に接続すると共に、通信部を介して前記第１の電源装置と前記第２の電源装置との間で情報のやり取りを行いながら生体組織を処置する処置システムであって、
前記第１の電源装置は、
第１の操作指示信号に基づいて前記第１の電気外科デバイスに高周波電流を供給する第１の高周波電源部と、
前記第１の対極板が接続されたか否かを検出する第１の検出部と、
前記第１の電源装置を制御する第１の制御部と、を備え、
前記第２の電源装置は、
第２の操作指示信号に基づいて前記第２の電気外科デバイスに高周波電流を供給する第２の高周波電源部と、
前記第２の対極板が接続されたか否かを検出する第２の検出部と、
前記第２の電源装置を制御する第２の制御部と、を備え、
前記第１の制御部及び前記第２の制御部は、
前記通信部を介して前記第１の検出部が前記第１の対極板を検出し、且つ前記第２の検出部が前記第２の対極板を検出していないと判断した場合において、前記第１の高周波電源部に対して前記第１の操作指示信号が入力された際は、前記第２の高周波電源部から前記第２の電気外科デバイスへの前記高周波電流の供給を無効化するように制御し、前記第２の高周波電源部に対して前記第２の操作指示信号が入力された際は、前記第１の高周波電源部から前記第１の電気外科デバイスへの前記高周波電流の供給を無効化するように制御し、
さらに、前記通信部を介して前記第２の検出部が前記第２の対極板を検出し、且つ前記第１の検出部が前記第１の対極板を検出していないと判断した場合において、前記第１の高周波電源部に対して前記第１の操作指示信号が入力された際は、前記第２の高周波電源部から前記第２の電気外科デバイスへの前記高周波電流の供給を無効化するように制御し、前記第２の高周波電源部に対して前記第２の操作指示信号が入力された際は、前記第１の高周波電源部から前記第１の電気外科デバイスへの前記高周波電流の供給を無効化するように制御する
ことを特徴とする処置システム。
【請求項２】
前記第１の電源装置は、
前記第１の対極板で回収した前記高周波電流の経路を切り替える第１のスイッチ部をさらに有し、
前記第２の電源装置は、
前記第２の対極板で回収した前記高周波電流の経路を切り替える第２のスイッチ部をさらに有し、
前記第１の制御部及び前記第２の制御部は、
前記通信部を介して前記第１の検出部が前記第１の対極板を検出し、且つ前記第２の検出部が前記第２の対極板を検出していないと判断した場合において、前記第１の高周波電源部に対して前記第１の操作指示信号が入力された際は、前記第１の対極板で回収した前記高周波電流を前記第１の高周波電源部に流すように前記第１のスイッチ部及び前記第２のスイッチ部を制御し、前記第２の高周波電源部に対して前記第２の操作指示信号が入力された際は、前記第１の対極板で回収した前記高周波電流を前記コネクタ部を介して前記第２の高周波電源部に流すように前記第１のスイッチ部及び前記第２のスイッチ部を制御し、さらに、
前記通信部を介して前記第２の検出部が前記第２の対極板を検出し、且つ前記第１の検出部が前記第１の対極板を検出していないと判断した場合において、前記第１の高周波電源部に対して前記第１の操作指示信号が入力された際は、前記第２の対極板で回収した前記高周波電流を前記コネクタ部を介して前記第１の高周波電源部に流すように前記第１のスイッチ部及び前記第２のスイッチ部を制御し、前記第２の高周波電源部に対して前記第２の操作指示信号が入力された際は、前記第２の対極板で回収した前記高周波電流を前記第２の高周波電源部に流すように前記第１のスイッチ部及び前記第２のスイッチ部を制御する
ことを特徴とする請求項１に記載の処置システム。
【請求項３】
前記第１の電源装置は、
前記第１の高周波電源部と前記第１の電気外科デバイスとの間を接続する第１の経路を導通状態、又は非導通状態に切り替える第３のスイッチ部をさらに有し、
前記第２の電源装置は、
前記第２の高周波電源部と前記第２の電気外科デバイスとの間を接続する第２の経路を導通状態、又は非導通状態に切り替える第４のスイッチ部をさらに有し、
前記第１の制御部及び前記第２の制御部は、
前記第１の高周波電源部に対して前記第１の操作指示信号が入力された際は、前記第１の経路を導通状態とし、前記第２の経路を非導通状態となるように前記第３のスイッチ部及び前記第４のスイッチ部を制御し、
前記第２の高周波電源部に対して前記第２の操作指示信号が入力された際は、前記第１の経路を非導通状態とし、前記第２の経路を導通状態となるように前記第３のスイッチ部及び前記第４のスイッチ部を制御する
ことを特徴とする請求項２に記載の処置システム。
【請求項４】
前記第１の制御部及び前記第２の制御部は、前記第１の検出部又は前記第２の検出部のうち一方の検出部が接続を検出した際、他方の検出部の機能を無効化するための制御が行われる
ことを特徴とする請求項１に記載の処置システム。
【請求項５】
前記第１の制御部及び前記第２の制御部は、前記第１の検出部又は前記第２の検出部のうち一方の検出部が接続を検出した後に他方の検出部が接続を検知した際、エラーを報知するための制御を行う
ことを特徴とする請求項１に記載の処置システム。
【請求項６】
前記第１の電源装置と前記第２の電源装置との間において、前記通信部を介してさらに、前記第１の高周波電源部及び前記第２の高周波電源部から供給可能なエネルギーの大きさに関する情報のやり取りが行われ、
前記第１の制御部及び前記第２の制御部は、
前記第１の高周波電源部から供給可能なエネルギーの大きさが前記第２の高周波電源部から供給可能なエネルギーの大きさに比べて大きいと判断した場合において、前記第２の検出部の機能を無効化し、前記第２の高周波電源部から供給可能なエネルギーの大きさが前記第１の高周波電源部から供給可能なエネルギーの大きさに比べて大きいと判断した場合において、前記第１の検出部の機能を無効化するように制御を行う
ことを特徴とする請求項１に記載の処置システム。
【発明の詳細な説明】
【技術分野】
【０００１】
本発明は、処置システムに関し、特に、高周波電流を生体組織に印加して処置を行う処置システムに関するものである。
【背景技術】
【０００２】
医療分野においては、高周波電流を生体組織に印加して処置を行うための器具及び装置等が従来用いられている。【０００３】
具体的には、例えば、日本国実公平２−３６４９０号公報には、１枚の対極板を装着した患者の２箇所の部位に対し、２つのメス先電極から同時に高周波電流を印加して処置を行うことが可能な構成を具備する電気メス装置が開示されている。【０００４】
しかし、日本国実公平２−３６４９０号公報に開示された構成によれば、１枚の対極板を装着した患者に対して２つのメス先電極から同時に高周波電流を印加した際に、当該２つのメス先電極間に高周波電流の干渉が生じてしまう、という問題点がある。【０００５】
そのため、日本国実公平２−３６４９０号公報に開示された構成によれば、２つのメス先電極から印加される高周波電流の大きさが安定せず、生体組織に対する処置を適切に行うことができない、という前述の問題点に応じた課題が生じている。【０００６】
本発明は、前述した事情に鑑みてなされたものであり、高周波電流の印加状態を安定化することにより、生体組織に対する処置を適切に行うことが可能な処置システムを提供することを目的としている。
【発明の開示】
【課題を解決するための手段】
【０００７】
本発明の一態様の処置システムは、第１の電気外科デバイス及び第１の対極板が接続可能なように構成された第１の電源装置と、第２の電気外科デバイス及び第２の対極板が接続可能なように構成された第２の電源装置と、を備え、コネクタ部を介して前記第１の電源装置と前記第２の電源装置とを電気的に接続すると共に、通信部を介して前記第１の電源装置と前記第２の電源装置との間で情報のやり取りを行いながら生体組織を処置する処置システムであって、前記第１の電源装置は、第１の操作指示信号に基づいて前記第１の電気外科デバイスに高周波電流を供給する第１の高周波電源部と、前記第１の対極板が接続されたか否かを検出する第１の検出部と、前記第１の電源装置を制御する第１の制御部と、を備え、前記第２の電源装置は、第２の操作指示信号に基づいて前記第２の電気外科デバイスに高周波電流を供給する第２の高周波電源部と、前記第２の対極板が接続されたか否かを検出する第２の検出部と、前記第２の電源装置を制御する第２の制御部と、を備え、前記第１の制御部及び前記第２の制御部は、前記通信部を介して前記第１の検出部が前記第１の対極板を検出し、且つ前記第２の検出部が前記第２の対極板を検出していないと判断した場合において、前記第１の高周波電源部に対して前記第１の操作指示信号が入力された際は、前記第２の高周波電源部から前記第２の電気外科デバイスへの前記高周波電流の供給を無効化するように制御し、前記第２の高周波電源部に対して前記第２の操作指示信号が入力された際は、前記第１の高周波電源部から前記第１の電気外科デバイスへの前記高周波電流の供給を無効化するように制御し、さらに、前記通信部を介して前記第２の検出部が前記第２の対極板を検出し、且つ前記第１の検出部が前記第１の対極板を検出していないと判断した場合において、前記第１の高周波電源部に対して前記第１の操作指示信号が入力された際は、前記第２の高周波電源部から前記第２の電気外科デバイスへの前記高周波電流の供給を無効化するように制御し、前記第２の高周波電源部に対して前記第２の操作指示信号が入力された際は、前記第１の高周波電源部から前記第１の電気外科デバイスへの前記高周波電流の供給を無効化するように制御する。
【図面の簡単な説明】
【０００８】
【図１】実施例に係る処置システムの要部の構成を示す図。
【図２】実施例に係る処置システムに含まれる電源装置の内部構成の一例を説明するためのブロック図。
【図３】実施例に係る処置システムを用いて生体組織の処置を行う際に形成される回路の一例を説明するための図。
【図４】実施例に係る処置システムを用いて生体組織の処置を行う際に形成される回路の、図３とは異なる例を説明するための図。
【図５】実施例に係る処置システムを用いて生体組織の処置を行う際に形成される回路の、図３及び図４とは異なる例を説明するための図。
【図６】実施例に係る処置システムを用いて生体組織の処置を行う際に形成される回路の、図３〜図５とは異なる例を説明するための図。
【図７】実施例に係る処置システムを用いて生体組織の処置を行う際に形成される回路の、図３〜図６とは異なる例を説明するための図。
【発明を実施するための最良の形態】
【０００９】
以下、本発明の実施の形態について、図面を参照しつつ説明を行う。【００１０】
図１から図７は、本発明の実施例に係るものである。図１は、実施例に係る処置システムの要部の構成を示す図である。【００１１】
処置システム１０１は、図１に示すように、電源装置（第１の電源装置）１Ａ及び電源装置（第２の電源装置）１Ｂと、処置具（第１の電気外科デバイス）２Ａ及び処置具（第２の電気外科デバイス）２Ｂと、対極板（第１の対極板）３Ａ及び対極板（第２の対極板）３Ｂと、を有して構成されている。【００１２】
電源装置１Ａ及び１Ｂは、コネクタまたはケーブル等により構成された接続部材（コネクタ部）５を介して電気的に接続することができるように構成されている。また、電源装置１Ａ及び１Ｂは、通信部の一部としての通信ケーブルＣＣを介して互いの情報のやり取りを行うことができるように構成されている。【００１３】
電源装置１Ａは、図１に示すように、接続端子１１Ａに接続されるケーブルＣＡ１を介し、処置具２Ａと電気的に接続することができるとともに、接続端子１２Ａに接続されるケーブルＣＡ２を介し、対極板３Ａと電気的に接続することができるように構成されている。また、電源装置１Ａは、フットスイッチ４Ａの操作に応じ、処置具２Ａに対する高周波電流の供給をオンまたはオフにすることができるように構成されている。なお、フットスイッチ４Ａが押下されると、第１の操作指示信号が発信される。【００１４】
処置具２Ａは、例えば、高周波電気メス等のような、モノポーラ型の外科手術用デバイスとして構成されている。また、処置具２Ａは、ユーザにより把持される把持部６Ａと、把持部６Ａの先端側に設けられた処置部７Ａと、を有して構成されている。さらに、処置具２Ａは、図１に示すように、把持部６Ａの基端側から延出するケーブルＣＡ１を介し、電源装置１Ａに電気的に接続することができるように構成されている。【００１５】
処置部７Ａは、アクティブ電極としての機能を備え、ケーブルＣＡ１を介して供給される高周波電流を、処置対象となる被検体における所望の生体組織に対して印加することができるように構成されている。【００１６】
対極板３Ａは、例えば、ステンレス等の金属導体により形成されているとともに、処置対象となる被検体に広い面積で接触するように貼り付け可能な形状を具備して形成されている。また、対極板３Ａは、リターン電極としての機能を備え、処置対象となる被検体における所望の生体組織に対して印加された高周波電流を回収することができるように構成されている。【００１７】
電源装置１Ａは、図１及び図２に示すように、接続端子１１Ａ及び１２Ａと、入力操作部１３Ａと、表示部１４Ａと、高周波電源部（第１の高周波電源部）２１Ａと、スイッチ部（第３のスイッチ部）２２Ａと、接続検知部（第１の検出部）２３Ａと、スイッチ部（第１のスイッチ部）２４Ａと、通信部の一部としての通信用Ｉ／Ｆ（インターフェース）２５Ａと、制御部（第１の制御部）２６Ａと、を有して構成されている。図２は、実施例に係る処置システムに含まれる電源装置の内部構成の一例を説明するためのブロック図である。【００１８】
入力操作部１３Ａは、例えば、スイッチ及び／またはボタン等のような、術者等のユーザによる操作が可能な入力インターフェースを具備して構成されている。【００１９】
表示部１４Ａは、例えば、ＬＣＤ（液晶ディスプレイ）等を具備し、制御部２６Ａの制御に応じた文字列等を表示することができるように構成されている。【００２０】
高周波電源部２１Ａは、制御部２６Ａの制御に応じた周波数の高周波電力を発生するように構成された電源回路２１１Ａと、１次側のコイル（不図示）に電気的に接続される電源回路２１１Ａにおいて発生した高周波電力を変圧し、当該変圧した高周波電力に応じた高周波電流を、２次側のコイル（不図示）に電気的に接続される各部により形成される回路に供給するように構成された変圧器２１２Ａと、を有して構成されている。【００２１】
スイッチ部２２Ａは、接続端子１１Ａと高周波電源部２１Ａとの間を接続する第１の経路中に設けられている。このスイッチ部２２Ａは、制御部２６Ａの制御に基づき、接続端子１１Ａと、変圧器２１２Ａの２次側のコイルにおける一方の端部と、を導通状態または非導通状態のいずれかに切り替えるためのスイッチを具備して構成されている。【００２２】
接続検知部２３Ａは、接続端子１２Ａの後段に接続されており、例えば、接続端子１２Ａにおける抵抗値（または抵抗値の変化）を検出した検出結果に基づき、接続端子１２Ａにおける（ケーブルＣＡ２及び）対極板３Ａの接続の有無を検知することができるように構成されている。また、接続検知部２３Ａは、接続端子１２Ａにおける（ケーブルＣＡ２及び）対極板３Ａの接続の有無を識別可能な接続識別信号を生成して制御部２６Ａへ出力することができるように構成されている。さらに、接続検知部２３Ａは、接続端子１２Ａを介して入力される高周波電流をそのままスイッチ部２４Ａへ出力することができるように構成されている。【００２３】
スイッチ部２４Ａは、変圧器２１２Ａの２次側のコイルにおける他方の端部に接続されている接点Ａ１と、接続部材５に内蔵された導線ＣＷを介してスイッチ部２４Ｂの接点Ｂ２（後述）に接続される接点Ａ２と、接続検知部２３Ａに接続されている接点Ａ３及びＡ４と、を有して構成されている。また、スイッチ部２４Ａは、接点Ａ１と接点Ａ２とを導通状態または非導通状態のいずれかに切り替えるためのスイッチと、接点Ａ１と接点Ａ３とを導通状態または非導通状態のいずれかに切り替えるためのスイッチと、接点Ａ２と接点Ａ４とを導通状態または非導通状態のいずれかに切り替えるためのスイッチと、を具備して構成されている。【００２４】
通信用Ｉ／Ｆ２５Ａは、例えば、通信ケーブルＣＣを着脱自在に接続可能なコネクタ（不図示）等を具備し、制御部２６Ａから出力される情報を、通信ケーブルＣＣを介して電源装置１Ｂの通信用Ｉ／Ｆ２５Ｂ（後述）へ出力することができるように構成されている。また、通信用Ｉ／Ｆ２５Ａは、通信ケーブルＣＣを介して入力される情報を制御部２６Ａへ出力することができるように構成されている。【００２５】
制御部２６Ａは、電源装置１Ａに関する固有の情報として、高周波電源部２１Ａから供給可能なエネルギーとして、高周波電流の大きさ（例えば最大定格電流）、高周波電圧の大きさ（例えば、最大定格電圧）、電力の大きさ（例えば、最大定格電力）の少なくとも１つ以上に関する情報が少なくとも格納されているメモリ２６１Ａを具備して構成されている。また、制御部２６Ａは、メモリ２６１Ａから読み込んだ情報を通信用Ｉ／Ｆ２５Ａへ出力することができるように構成されている。【００２６】
制御部２６Ａは、接続検知部２３Ａから出力される接続識別信号に基づき、対極板３Ａが電源装置１Ａに現在接続されているか否かを識別可能な情報を生成し、当該生成した情報を通信用Ｉ／Ｆ２５Ａへ出力することができるように構成されている。【００２７】
制御部２６Ａは、入力操作部１３Ａの操作に応じた制御を行うことができるように構成されている。具体的には、制御部２６Ａは、例えば、入力操作部１３Ａに設けられた周波数設定スイッチ（不図示）が操作された際に、当該周波数設定スイッチにおいて設定された周波数の高周波電力を発生させるための制御を高周波電源部２１Ａに対して行うことができるように構成されている。【００２８】
また、制御部２６Ａは、接続検知部２３Ａから出力される接続識別信号と、通信用Ｉ／Ｆ２５Ａから出力される情報と、に基づき、所定の文字列を表示部１４Ａに表示させるための制御を行うことができるように構成されている。【００２９】
制御部２６Ａは、フットスイッチ４Ａの操作に応じてスイッチ部２２Ａを導通状態にすることにより、処置具２Ａに対する高周波電流の供給をオンにするように構成されている。また、制御部２６Ａは、フットスイッチ４Ａの操作に応じてスイッチ部２２Ａを非導通状態にすることにより、処置具２Ａに対する高周波電流の供給をオフにするように構成されている。さらに、制御部２６Ａは、フットスイッチ４Ａの操作状態に基づき、高周波電流が処置具２Ａに対して現在供給されているか否かを識別可能な情報を生成し、当該生成した情報を通信用Ｉ／Ｆ２５Ａへ出力することができるように構成されている。【００３０】
制御部２６Ａは、接続検知部２３Ａから出力される接続識別信号と、通信用Ｉ／Ｆ２５Ａから出力される情報と、に基づき、第１のスイッチ部としてのスイッチ部２４Ａの各スイッチの切替に係る制御を行うように構成されている。また、制御部２６Ａは、フットスイッチ４Ａの操作指示信号（第１の操作指示信号）に基づいて第３のスイッチ部としてのスイッチ部２２Ａの切替に係る制御を行うように構成されている。【００３１】
一方、電源装置１Ｂは、図１に示すように、接続端子１１Ｂに接続されるケーブルＣＢ１を介し、処置具２Ｂと電気的に接続することができるとともに、接続端子１２Ｂに接続されるケーブルＣＢ２を介し、対極板３Ｂと電気的に接続することができるように構成されている。また、電源装置１Ｂは、フットスイッチ４Ｂの操作に応じ、処置具２Ｂに対する高周波電流の供給をオンまたはオフにすることができるように構成されている。なお、フットスイッチ４Ｂが押下されると、第２の操作指示信号が発信される。【００３２】
処置具２Ｂは、例えば、高周波電気メス等のような、モノポーラ型の外科手術用デバイスとして構成されている。また、処置具２Ｂは、ユーザにより把持される処置部６Ｂと、処置部６Ｂの先端側に設けられた処置部７Ｂと、を有して構成されている。さらに、処置具２Ｂは、図１に示すように、処置部６Ｂの基端側から延出するケーブルＣＢ１を介し、電源装置１Ｂに電気的に接続することができるように構成されている。【００３３】
処置部７Ｂは、アクティブ電極としての機能を備え、ケーブルＣＢ１を介して供給される高周波電流を、処置対象となる被検体における所望の生体組織に対して印加することができるように構成されている。【００３４】
対極板３Ｂは、例えば、ステンレス等の金属導体により形成されているとともに、処置対象となる被検体に広い面積で接触するように貼り付け可能な形状を具備して形成されている。また、対極板３Ｂは、リターン電極としての機能を備え、処置対象となる被検体における所望の生体組織に対して印加された高周波電流を回収することができるように構成されている。【００３５】
電源装置１Ｂは、図１及び図２に示すように、接続端子１１Ｂ及び１２Ｂと、入力操作部１３Ｂと、表示部１４Ｂと、高周波電源部（第２の高周波電源部）２１Ｂと、スイッチ部（第４のスイッチ部）２２Ｂと、接続検知部（第２の検出部）２３Ｂと、スイッチ部（第２のスイッチ部）２４Ｂと、通信部の一部としての通信用Ｉ／Ｆ（インターフェース）２５Ｂと、制御部（第２の制御部）２６Ｂと、を有して構成されている。【００３６】
入力操作部１３Ｂは、例えば、スイッチ及び／またはボタン等のような、ユーザによる操作が可能な入力インターフェースを具備して構成されている。【００３７】
表示部１４Ｂは、例えば、ＬＣＤ（液晶ディスプレイ）等を具備し、制御部２６Ｂの制御に応じた文字列等を表示することができるように構成されている。【００３８】
高周波電源部２１Ｂは、制御部２６Ｂの制御に応じた周波数の高周波電力を発生するように構成された電源回路２１１Ｂと、１次側のコイル（不図示）に電気的に接続される電源回路２１１Ｂにおいて発生した高周波電力を変圧し、当該変圧した高周波電力に応じた高周波電流を、２次側のコイル（不図示）に電気的に接続される各部により形成される回路に供給するように構成された変圧器２１２Ｂと、を有して構成されている。【００３９】
スイッチ部２２Ｂは、接続端子１１Ｂと高周波電源部２１Ｂとの間を接続する第２の経路中に設けられている。このスイッチ部２２Ｂは、制御部２６Ｂの制御に基づき、接続端子１１Ｂと、変圧器２１２Ｂの２次側のコイルにおける一方の端部と、を導通状態または非導通状態のいずれかに切り替えるためのスイッチを具備して構成されている。【００４０】
接続検知部２３Ｂは、接続端子１２Ｂの後段に接続されており、例えば、接続端子１２Ｂにおける抵抗値（または抵抗値の変化）を検出した検出結果に基づき、接続端子１２Ｂにおける（ケーブルＣＢ２及び）対極板３Ｂの接続の有無を検知することができるように構成されている。また、接続検知部２３Ｂは、接続端子１２Ｂにおける（ケーブルＣＢ２及び）対極板３Ｂの接続の有無を識別可能な接続識別信号を生成して制御部２６Ｂへ出力することができるように構成されている。さらに、接続検知部２３Ｂは、接続端子１２Ｂを介して入力される高周波電流をそのままスイッチ部２４Ｂへ出力することができるように構成されている。【００４１】
スイッチ部２４Ｂは、変圧器２１２Ｂの２次側のコイルにおける他方の端部に接続されている接点Ｂ１と、接続部材５に内蔵された導線ＣＷを介してスイッチ部２４Ａの接点Ａ２に接続される接点Ｂ２と、接続検知部２３Ｂに接続されている接点Ｂ３及びＢ４と、を有して構成されている。また、スイッチ部２４Ｂは、接点Ｂ１と接点Ｂ２とを導通状態または非導通状態のいずれかに切り替えるためのスイッチと、接点Ｂ１と接点Ｂ３とを導通状態または非導通状態のいずれかに切り替えるためのスイッチと、接点Ｂ２と接点Ｂ４とを導通状態または非導通状態のいずれかに切り替えるためのスイッチと、を具備して構成されている。【００４２】
通信用Ｉ／Ｆ２５Ｂは、例えば、通信ケーブルＣＣを着脱自在に接続可能なコネクタ（不図示）等を具備し、制御部２６Ｂから出力される情報を、通信ケーブルＣＣを介して電源装置１Ａの通信用Ｉ／Ｆ２５Ａへ出力することができるように構成されている。また、通信用Ｉ／Ｆ２５Ｂは、通信ケーブルＣＣを介して入力される情報を制御部２６Ｂへ出力することができるように構成されている。【００４３】
制御部２６Ｂは、電源装置１Ｂに関する固有の情報として、高周波電源部２１Ｂから供給可能なエネルギーとして、高周波電流の大きさ（例えば最大定格電流）、高周波電圧の大きさ（例えば、最大定格電圧）、電力の大きさ（例えば、最大定格電力）の少なくとも１つ以上に関する情報が少なくとも格納されているメモリ２６１Ｂを具備して構成されている。また、制御部２６Ｂは、メモリ２６１Ｂから読み込んだ情報を通信用Ｉ／Ｆ２５Ｂへ出力することができるように構成されている。【００４４】
制御部２６Ｂは、接続検知部２３Ｂから出力される接続識別信号に基づき、対極板３Ｂが電源装置１Ｂに現在接続されているか否かを識別可能な情報を生成し、当該生成した情報を通信用Ｉ／Ｆ２５Ｂへ出力することができるように構成されている。【００４５】
制御部２６Ｂは、入力操作部１３Ｂの操作に応じた制御を行うことができるように構成されている。具体的には、制御部２６Ｂは、例えば、入力操作部１３Ｂに設けられた周波数設定スイッチ（不図示）が操作された際に、当該周波数設定スイッチにおいて設定された周波数の高周波電力を発生させるための制御を高周波電源部２１Ｂに対して行うことができるように構成されている。【００４６】
また、制御部２６Ｂは、接続検知部２３Ｂから出力される接続識別信号と、通信用Ｉ／Ｆ２５Ｂから出力される情報と、に基づき、所定の文字列を表示部１４Ｂに表示させるための制御を行うことができるように構成されている。【００４７】
制御部２６Ｂは、フットスイッチ４Ｂの操作に応じてスイッチ部２２Ｂを導通状態にすることにより、処置具２Ｂに対する高周波電流の供給をオンにするように構成されている。また、制御部２６Ｂは、フットスイッチ４Ｂの操作に応じてスイッチ部２２Ｂを非導通状態にすることにより、処置具２Ｂに対する高周波電流の供給をオフにするように構成されている。さらに、制御部２６Ｂは、フットスイッチ４Ｂの操作状態に基づき、高周波電流が処置具２Ｂに対して現在供給されているか否かを識別可能な情報を生成し、当該生成した情報を通信用Ｉ／Ｆ２５Ｂへ出力することができるように構成されている。【００４８】
制御部２６Ｂは、接続検知部２３Ｂから出力される接続識別信号と、通信用Ｉ／Ｆ２５Ａから出力される情報と、に基づき、第２のスイッチ部としてのスイッチ部２４Ｂの各スイッチの切替に係る制御を行うように構成されている。また、制御部２６Ｂは、フットスイッチ４Ｂの操作指示信号（第２の操作指示信号）に基づいて第４のスイッチ部としてのスイッチ部２２Ｂの切替に係る制御を行うように構成されている。【００４９】
すなわち、以上に述べたような処置システム１０１の構成によれば、通信ケーブルＣＣを介し、例えば、対極板３Ａ及び３Ｂの接続の有無に関する情報、処置具２Ａ及び２Ｂに対する高周波電流の供給の有無に関する情報、及び、高周波電源部２１Ａ及び２１Ｂから供給可能な高周波電流の大きさに関する情報のやり取りを行うことができるとともに、通信ケーブルＣＣを介してやり取りされる各情報を制御部２６Ａ及び２６Ｂにおいて共有することができる。【００５０】
なお、本実施例の処置システム１０１によれば、通信用Ｉ／Ｆ２５Ａ及び２５Ｂが通信ケーブルＣＣを介して有線通信を行うような構成を具備するものに限らず、通信用Ｉ／Ｆ２５Ａ及び２５Ｂが無線信号による無線通信を行うような構成を具備していてもよい。【００５１】
続いて、以上に述べたような構成を具備する処置システム１０１の作用について説明する。【００５２】
まず、ユーザは、処置具２Ａ及びフットスイッチ４Ａを電源装置１Ａに接続し、処置具２Ｂ及びフットスイッチ４Ｂを電源装置１Ｂに接続し、通信用Ｉ／Ｆ２５Ａと２５Ｂとを通信ケーブルＣＣにより接続し、スイッチ部２４Ａと２４Ｂとを接続部材（コネクタ部）５により接続した状態において、入力操作部１３Ａ及び１３Ｂに設けられたメイン電源スイッチ（不図示）をオンにすることにより、電源装置１Ａ及び１Ｂを起動させる。なお、電源装置１Ａ及び１Ｂが起動された直後のタイミングにおいては、電源装置１Ａから処置具２Ａに対する高周波電流の供給、及び、電源装置１Ｂから処置具２Ｂに対する高周波電流の供給が行われていないものとする。【００５３】
制御部２６Ａは、電源装置１Ａが起動された際に、高周波電流が処置具２Ａに対して現在供給されていない旨を示す情報を生成し、当該生成した情報を通信ケーブルＣＣを介して電源装置１Ｂへ出力する。また、制御部２６Ａは、電源装置１Ａが起動された際に、メモリ２６１Ａに格納されている情報を読み込み、当該読み込んだ情報を通信ケーブルＣＣを介して電源装置１Ｂへ出力する。【００５４】
制御部２６Ｂは、電源装置１Ｂが起動された際に、高周波電流が処置具２Ｂに対して現在供給されていない旨を示す情報を生成し、当該生成した情報を通信ケーブルＣＣを介して電源装置１Ａへ出力する。また、制御部２６Ｂは、電源装置１Ｂが起動された際に、メモリ２６１Ｂに格納されている情報を読み込み、当該読み込んだ情報を通信ケーブルＣＣを介して電源装置１Ａへ出力する。【００５５】
一方、ユーザは、電源装置１Ａ及び１Ｂを起動した後、対極板３Ａまたは３Ｂのいずれか一方の対極板を電源装置１Ａまたは１Ｂのいずれか一方の電源装置に電気的に接続する。【００５６】
ここで、対極板３Ｂが電源装置１Ｂに接続されるより先に、対極板３Ａが電源装置１Ａに接続された場合における各部の動作等について説明する。【００５７】
接続検知部２３Ａは、接続端子１２Ａにおける抵抗値（または抵抗値の変化）を検出した検出結果に基づき、接続端子１２Ａに（ケーブルＣＡ２及び）対極板３Ａが接続されたことを検知する。そして、接続検知部２３Ａは、接続端子１２Ａに（ケーブルＣＡ２及び）対極板３Ａが接続されたことを示す接続識別信号を生成して制御部２６Ａへ出力する。【００５８】
制御部２６Ａは、接続検知部２３Ａから出力される接続識別信号に基づき、対極板３Ａが電源装置１Ａに現在接続されていることを示す情報を生成し、当該生成した情報を通信ケーブルＣＣを介して電源装置１Ｂへ出力する。【００５９】
制御部２６Ｂは、通信用Ｉ／Ｆ２５Ｂから出力される情報に基づき、対極板３Ａが電源装置１Ａに接続されている期間中において、スイッチ部２４Ｂの接点Ｂ１と接点Ｂ３とを非導通状態に維持するとともに、スイッチ部２４Ｂの接点Ｂ２と接点Ｂ４とを非導通状態に維持するための制御を行う。【００６０】
一方、ユーザは、処置対象となる被検体に対極板３Ａを貼り付けた後、当該被検体の所望の生体組織に処置部７Ａを接触させた状態において、フットスイッチ４Ａを操作することにより、フットスイッチ４Ａから第１の操作指示信号が出力される。これにより、制御部２６Ａは、第１の操作指示信号を検出し、高周波電源部２１Ａに対して処置具２Ａに高周波電流の供給するよう指示を与える。つまり、フットスイッチ４Ａからの第１の操作指示信号に基づいて高周波電源部２１Ａは処置具２Ａに高周波電流を供給する。【００６１】
また、制御部２６Ａは、処置具２Ａに対する高周波電流の供給を開始させるための第１の操作指示信号をを検出すると、スイッチ部２２Ａを導通状態にするための制御を行い、スイッチ部２４Ａの接点Ａ１と接点Ａ３とを導通状態にするための制御を行い、スイッチ部２４Ａの接点Ａ２と接点Ａ４とを非導通状態にするための制御を行うとともに、高周波電流が処置具２Ａに対して現在供給されている旨を示す情報を生成し、当該生成した情報を通信ケーブルＣＣを介して電源装置１Ｂへ出力する。【００６２】
制御部２６Ｂは、通信用Ｉ／Ｆ２５Ｂから出力される情報に基づき、高周波電流が処置具２Ａに対して供給されている期間中（第１の操作指示信号が出力されている期間中）において、スイッチ部２２Ｂを非導通状態に維持するための制御を行う。【００６３】
すなわち、以上に述べたような各部の動作によれば、対極板３Ａが電源装置１Ａに接続されているとともに、高周波電流が処置具２Ａに対して供給されている期間中においては、例えば、接続端子１２Ｂに（ケーブルＣＢ２及び）対極板３Ｂが更に接続された場合であっても、スイッチ部２４Ｂから先（変圧器２１２Ａの２次側及び変圧器２１２Ｂの２次側）へ高周波電流が流れないため、対極板３Ｂのリターン電極としての機能を無効化することができる。【００６４】
また、以上に述べたような各部の動作によれば、対極板３Ａが電源装置１Ａに接続されているとともに、高周波電流が処置具２Ａに対して供給されている期間中においては、例えば、処置具２Ｂに対する高周波電流の供給を開始させるための操作がフットスイッチ４Ｂにおいて行われた場合であっても、スイッチ部２２Ｂから先へ高周波電流が流れないため、処置具２Ｂのアクティブ電極としての機能を無効化することができる。【００６５】
また、以上に述べたような各部の動作によれば、対極板３Ａが電源装置１Ａに接続されているとともに、処置部７Ａが被検体の所望の生体組織ＬＴＡに接触している状態において、図３に例示するような電流経路（変圧器２１２Ａ→スイッチ部２２Ａ→（接続端子１１Ａ→ケーブルＣＡ１→）処置部７Ａ→生体組織ＬＴＡ→被検体２０１→対極板３Ａ→（ケーブルＣＡ２→接続端子１２Ａ→）接続検知部２３Ａ→スイッチ部２４Ａ→変圧器２１２Ａ）を具備する回路ＣＰ１が形成される。そのため、対極板３Ａを被検体２０１に貼り付けた状態において、処置部７Ａから生体組織ＬＴＡに対して高周波電流を印加することにより、生体組織ＬＴＡの処置を行うことができる。図３は、実施例に係る処置システムを用いて生体組織の処置を行う際に形成される回路の一例を説明するための図である。【００６６】
一方、ユーザは、処置対象となる被検体に対極板３Ａを貼り付けた後、当該被検体の所望の生体組織に処置部７Ｂを接触させた状態において、フットスイッチ４Ｂを操作することにより、フットスイッチ４Ｂから第２の操作指示信号が出力される。これにより、制御部２６Ｂは、第２の操作指示信号を検出し、高周波電源部２１Ｂに対して処置具２Ｂに高周波電流の供給するよう指示を与える。つまり、フットスイッチ４Ｂからの第２の操作指示信号に基づいて高周波電源部２１Ｂは処置具２Ｂに高周波電流を供給する。【００６７】
また、制御部２６Ｂは、処置具２Ｂに対する高周波電流の供給を開始させるための第２の操作指示信号を検出すると、スイッチ部２２Ｂを導通状態にするための制御を行い、スイッチ部２４Ｂの接点Ｂ１と接点Ｂ２とを導通状態にするための制御を行うとともに、高周波電流が処置具２Ｂに対して現在供給されている旨を示す情報を生成し、当該生成した情報を通信ケーブルＣＣを介して電源装置１Ａへ出力する。【００６８】
制御部２６Ａは、通信用Ｉ／Ｆ２５Ａから出力される情報に基づき、高周波電流が処置具２Ｂに対して供給されている期間中において、スイッチ部２２Ａを非導通状態に維持するための制御を行う。【００６９】
すなわち、以上に述べたような各部の動作によれば、対極板３Ａが電源装置１Ａに接続されているとともに、高周波電流が処置具２Ｂに対して供給されている期間中（第２の操作指示信号が出力されている期間中）においては、例えば、接続端子１２Ｂに（ケーブルＣＢ２及び）対極板３Ｂが更に接続された場合であっても、スイッチ部２４Ｂから先（変圧器２１２Ａの２次側及び変圧器２１２Ｂの２次側）へ高周波電流が流れないため、対極板３Ｂのリターン電極としての機能を無効化することができる。【００７０】
また、以上に述べたような各部の動作によれば、対極板３Ａが電源装置１Ａに接続されているとともに、高周波電流が処置具２Ｂに対して供給されている期間中においては、例えば、処置具２Ａに対する高周波電流の供給を開始させるための操作がフットスイッチ４Ａにおいて行われた場合であっても、スイッチ部２２Ａから先へ高周波電流が流れないため、処置具２Ａのアクティブ電極としての機能を無効化することができる。【００７１】
以上に述べたような各部の動作によれば、対極板３Ａが電源装置１Ａに接続されているとともに、処置部７Ｂが被検体の所望の生体組織ＬＴＢに接触している状態において、図４に例示するような電流経路（変圧器２１２Ｂ→スイッチ部２２Ｂ→（接続端子１１Ｂ→ケーブルＣＢ１→）処置部７Ｂ→生体組織ＬＴＢ→被検体２０１→対極板３Ａ→（ケーブルＣＡ２→接続端子１２Ａ→）接続検知部２３Ａ→スイッチ部２４Ａ→接続部材５（の導線ＣＷ）→スイッチ部２４Ｂ→変圧器２１２Ｂ）を具備する回路ＣＰ２が形成される。そのため、対極板３Ａを被検体２０１に貼り付けた状態において、処置部７Ｂから生体組織ＬＴＢに対して高周波電流を印加することにより、生体組織ＬＴＢの処置を行うことができる。図４は、実施例に係る処置システムを用いて生体組織の処置を行う際に形成される回路の、図３とは異なる例を説明するための図である。【００７２】
なお、本実施例の制御部２６Ｂは、通信用Ｉ／Ｆ２５Ｂから出力される情報と、接続検知部２３Ｂから出力される接続識別信号と、に基づき、対極板３Ａが電源装置１Ａに接続されていることを検知した後で、対極板３Ｂが電源装置１Ｂに接続されたことを検出した場合において、対極板３Ｂが誤って接続されている旨を報知可能な文字列等を表示部１４Ｂに表示させるための制御を行うものであってもよい。【００７３】
次に、対極板３Ａが電源装置１Ａに接続されるより先に、対極板３Ｂが電源装置１Ｂに接続された場合における各部の動作等について説明する。【００７４】
接続検知部２３Ｂは、接続端子１２Ｂにおける抵抗値（または抵抗値の変化）を検出した検出結果に基づき、接続端子１２Ｂに（ケーブルＣＢ２及び）対極板３Ｂが接続されたことを検知する。そして、接続検知部２３Ｂは、接続端子１２Ｂに（ケーブルＣＢ２及び）対極板３Ｂが接続されたことを示す接続識別信号を生成して制御部２６Ｂへ出力する。【００７５】
制御部２６Ｂは、接続検知部２３Ｂから出力される接続識別信号に基づき、対極板３Ｂが電源装置１Ｂに現在接続されていることを示す情報を生成し、当該生成した情報を通信ケーブルＣＣを介して電源装置１Ａへ出力する。【００７６】
制御部２６Ａは、通信用Ｉ／Ｆ２５Ａから出力される情報に基づき、対極板３Ｂが電源装置１Ｂに接続されている期間中において、スイッチ部２４Ａの接点Ａ１と接点Ａ３とを非導通状態に維持するとともに、スイッチ部２４Ａの接点Ａ２と接点Ａ４とを非導通状態に維持するための制御を行う。【００７７】
一方、ユーザは、処置対象となる被検体に対極板３Ｂを貼り付けた後、当該被検体の所望の生体組織に処置部７Ｂを接触させた状態において、フットスイッチ４Ｂを操作することにより、処置具２Ｂに対する高周波電流の供給を開始させる。【００７８】
制御部２６Ｂは、処置具２Ｂに対する高周波電流の供給を開始させるための操作がフットスイッチ４Ｂにおいて行われたことを検出すると、スイッチ部２２Ｂを導通状態にするための制御を行い、スイッチ部２４Ｂの接点Ｂ１と接点Ｂ３とを導通状態にするための制御を行い、スイッチ部２４Ｂの接点Ｂ２と接点Ｂ４とを非導通状態にするための制御を行うとともに、高周波電流が処置具２Ｂに対して現在供給されている旨を示す情報を生成し、当該生成した情報を通信ケーブルＣＣを介して電源装置１Ａへ出力する。【００７９】
制御部２６Ａは、通信用Ｉ／Ｆ２５Ａから出力される情報に基づき、高周波電流が処置具２Ｂに対して供給されている期間中において、スイッチ部２２Ａを非導通状態に維持するための制御を行う。【００８０】
すなわち、以上に述べたような各部の動作によれば、対極板３Ｂが電源装置１Ｂに接続されているとともに、高周波電流が処置具２Ｂに対して供給されている期間中においては、例えば、接続端子１２Ａに（ケーブルＣＡ２及び）対極板３Ａが更に接続された場合であっても、スイッチ部２４Ａから先（変圧器２１２Ａの２次側及び変圧器２１２Ｂの２次側）へ高周波電流が流れないため、対極板３Ａのリターン電極としての機能を無効化することができる。【００８１】
また、以上に述べたような各部の動作によれば、対極板３Ｂが電源装置１Ｂに接続されているとともに、高周波電流が処置具２Ｂに対して供給されている期間中においては、例えば、処置具２Ａに対する高周波電流の供給を開始させるための操作がフットスイッチ４Ａにおいて行われた場合であっても、スイッチ部２２Ａから先へ高周波電流が流れないため、処置具２Ａのアクティブ電極としての機能を無効化することができる。【００８２】
また、以上に述べたような各部の動作によれば、対極板３Ｂが電源装置１Ｂに接続されているとともに、処置部７Ｂが被検体の所望の生体組織ＬＴＢに接触している状態において、図５に例示するような電流経路（変圧器２１２Ｂ→スイッチ部２２Ｂ→（接続端子１１Ｂ→ケーブルＣＢ１→）処置部７Ｂ→生体組織ＬＴＢ→被検体２０１→対極板３Ｂ→（ケーブルＣＢ２→接続端子１２Ｂ→）接続検知部２３Ｂ→スイッチ部２４Ｂ→変圧器２１２Ｂ）を具備する回路ＣＰ３が形成される。そのため、対極板３Ｂを被検体２０１に貼り付けた状態において、処置部７Ｂから生体組織ＬＴＢに対して高周波電流を印加することにより、生体組織ＬＴＢの処置を行うことができる。図５は、実施例に係る処置システムを用いて生体組織の処置を行う際に形成される回路の、図３及び図４とは異なる例を説明するための図である。【００８３】
一方、ユーザは、処置対象となる被検体に対極板３Ｂを貼り付けた後、当該被検体の所望の生体組織に処置部７Ａを接触させた状態において、フットスイッチ４Ａを操作することにより、処置具２Ａに対する高周波電流の供給を開始させる。【００８４】
制御部２６Ａは、処置具２Ｂに対する高周波電流の供給を開始させるための操作がフットスイッチ４Ａにおいて行われたことを検出すると、スイッチ部２２Ａを導通状態にするための制御を行い、スイッチ部２４Ａの接点Ａ１と接点Ａ２とを導通状態にするための制御を行うとともに、高周波電流が処置具２Ａに対して現在供給されている旨を示す情報を生成し、当該生成した情報を通信ケーブルＣＣを介して電源装置１Ｂへ出力する。【００８５】
制御部２６Ｂは、通信用Ｉ／Ｆ２５Ｂから出力される情報に基づき、高周波電流が処置具２Ａに対して供給されている期間中において、スイッチ部２２Ｂを非導通状態に維持するための制御を行う。【００８６】
すなわち、以上に述べたような各部の動作によれば、対極板３Ｂが電源装置１Ｂに接続されているとともに、高周波電流が処置具２Ａに対して供給されている期間中においては、例えば、接続端子１２Ａに（ケーブルＣＡ２及び）対極板３Ａが更に接続された場合であっても、スイッチ部２４Ａから先（変圧器２１２Ａの２次側及び変圧器２１２Ｂの２次側）へ高周波電流が流れないため、対極板３Ａのリターン電極としての機能を無効化することができる。【００８７】
また、以上に述べたような各部の動作によれば、対極板３Ｂが電源装置１Ｂに接続されているとともに、高周波電流が処置具２Ａに対して供給されている期間中においては、例えば、処置具２Ｂに対する高周波電流の供給を開始させるための操作がフットスイッチ４Ｂにおいて行われた場合であっても、スイッチ部２２Ｂから先へ高周波電流が流れないため、処置具２Ｂのアクティブ電極としての機能を無効化することができる。【００８８】
以上に述べたような各部の動作によれば、対極板３Ｂが電源装置１Ｂに接続されているとともに、処置部７Ａが被検体の所望の生体組織ＬＴＡに接触している状態において、図６に例示するような電流経路（変圧器２１２Ａ→スイッチ部２２Ａ→（接続端子１１Ａ→ケーブルＣＡ１→）処置部７Ａ→生体組織ＬＴＡ→被検体２０１→対極板３Ｂ→（ケーブルＣＢ２→接続端子１２Ｂ→）接続検知部２３Ｂ→スイッチ部２４Ｂ→接続部材５（の導線ＣＷ）→スイッチ部２４Ａ→変圧器２１２Ａ）を具備する回路ＣＰ４が形成される。そのため、対極板３Ｂを被検体２０１に貼り付けた状態において、処置部７Ａから生体組織ＬＴＡに対して高周波電流を印加することにより、生体組織ＬＴＢの処置を行うことができる。図６は、実施例に係る処置システムを用いて生体組織の処置を行う際に形成される回路の、図３〜図５とは異なる例を説明するための図である。【００８９】
以上に述べたように、本実施例によれば、処置具２Ａ及び２Ｂから同時に高周波電流が印加されることを禁止しつつ、先に電源装置に接続された一の対極板（対極板３Ａまたは３Ｂ）のみにおいて、リターン電極としての機能が働くように動作する。そのため、本実施例によれば、処置対象の所望の生体組織に対する高周波電流の印加状態が安定化され、当該所望の生体組織に対する処置を適切に行うことができる。【００９０】
なお、本実施例の制御部２６Ａは、通信用Ｉ／Ｆ２５Ａから出力される情報と、接続検知部２３Ａから出力される接続識別信号と、に基づき、対極板３Ｂが電源装置１Ｂに接続されていることを検知した後で、対極板３Ａが電源装置１Ａに接続されたことを検出した場合において、対極板３Ａが誤って接続されている旨を報知可能な所定の文字列等を表示部１４Ａに表示させるための制御を行うものであってもよい。【００９１】
一方、本実施例によれば、前述したような動作が行われるものに限らず、例えば、メモリ２６１Ａ及び２６１Ｂに格納された情報に基づき、高周波電源部２１Ａから供給可能な高周波電流の大きさと、高周波電源部２１Ｂから供給可能な高周波電流の大きさと、を比較した比較結果に係る情報を制御部２６Ａ及び２６Ｂにおいて共有しつつ、当該比較結果に応じた動作が行われるようにしてもよい。【００９２】
具体的には、例えば、高周波電源部２１Ａから供給可能な高周波電流の大きさが高周波電源部２１Ｂから供給可能な高周波電流の大きさに比べて大きい、との情報が制御部２６Ａ及び２６Ｂにおいて共有されている際には、処置具２Ａ及び２Ｂから同時に高周波電流が印加されることを禁止しつつ、電源装置１Ａに接続される対極板３Ａのみにおいて、リターン電極としての機能を働かせるための動作を行う。そして、このような動作によれば、被検体における所望の生体組織に対する処置が行われる際に、前述の回路ＣＰ１またはＣＰ２のいずれかが形成される。【００９３】
また、例えば、高周波電源部２１Ｂから供給可能な高周波電流の大きさが高周波電源部２１Ａから供給可能な高周波電流の大きさに比べて大きい、との情報が制御部２６Ａ及び２６Ｂにおいて共有されている際には、処置具２Ａ及び２Ｂから同時に高周波電流が印加されることを禁止しつつ、電源装置１Ｂに接続される対極板３Ｂのみにおいて、リターン電極としての機能を働かせるための動作を行う。そして、このような動作によれば、被検体における所望の生体組織に対する処置が行われる際に、前述の回路ＣＰ３またはＣＰ４のいずれかが形成される。【００９４】
また、例えば、高周波電源部２１Ａから供給可能な高周波電流の大きさと、高周波電源部２１Ｂから供給可能な高周波電流の大きさと、が等しいとの情報が制御部２６Ａ及び２６Ｂにおいて共有されている際には、電源装置１Ａに対極板３Ａが接続され、かつ、電源装置１Ｂに対極板３Ｂが接続されている場合に限り、処置具２Ａ及び２Ｂから同時に高周波電流が印加されることを許可するための動作を行う。そして、このような動作によれば、被検体における所望の生体組織に対する処置が行われる際に、前述の回路ＣＰ１及び回路ＣＰ３が同時に形成される（図７参照）。図７は、実施例に係る処置システムを用いて生体組織の処置を行う際に形成される回路の、図３〜図６とは異なる例を説明するための図である。【００９５】
一方、本実施例によれば、例えば、電源装置１Ａに対極板３Ａが現在接続されており、かつ、電源装置１Ｂに対極板３Ｂが現在接続されている、との情報が制御部２６Ａ及び２６Ｂにおいて共有されている際に、高周波電源部２１Ａから供給可能な高周波電流の大きさと、高周波電源部２１Ｂから供給可能な高周波電流の大きさと、を比較した比較結果に係らず、処置具２Ａ及び２Ｂから同時に高周波電流が印加されることを許可するための動作を行ってもよい。そして、このような動作によれば、被検体における所望の生体組織に対する処置が行われる際に、前述の回路ＣＰ１及び回路ＣＰ３が同時に形成される（図７参照）。【００９６】
さらに、本実施例によれば、例えば、高周波電流の同時出力を許可する旨の操作が入力操作部１３Ａ及び１３Ｂの両方においてなされた、との情報が制御部２６Ａ及び２６Ｂにおいて共有されている場合に限り、処置具２Ａ及び２Ｂから同時に高周波電流が印加されることを許可するための動作を行ってもよい。そして、このような動作によれば、被検体における所望の生体組織に対する処置が行われる際に、前述の回路ＣＰ１及び回路ＣＰ３が同時に形成される（図７参照）。【００９７】
なお、本発明は、上述した各実施例に限定されるものではなく、発明の趣旨を逸脱しない範囲内において種々の変更や応用が可能であることは勿論である。【００９８】
本出願は、２０１３年１１月１１日に日本国に出願された特願２０１３−２３３２５２号を優先権主張の基礎として出願するものであり、上記の開示内容は、本願明細書、請求の範囲、図面に引用されたものとする。
【要約】
処置システムは、外科デバイスと対極板がそれぞれ接続可能な第１の電源装置及び第２の電源装置を備え、前記第１の電源装置と前記第２の電源装置とを電気的に接続すると共に、前記第１の電源装置と前記第２の電源装置との間で情報のやり取りを行いながら生体組織を処置し、前記第１の電源装置、又は前記第２の電源装置の一方の装置のみに前記対極板が接続されている場合において、前記第１の電源装置に接続された外科デバイスの出力中は、前記第２の電源装置に接続された外科デバイスの出力を禁止し、且つ前記第２の電源装置に接続された外科デバイスの出力中は、前記第１の電源装置に接続された外科デバイスの出力を禁止するよう制御する。【図１】
0005802865.tif 000002
【図２】
0005802865.tif 000003
【図３】
0005802865.tif 000004
【図４】
0005802865.tif 000005
【図５】
0005802865.tif 000006
【図６】
0005802865.tif 000007
【図７】
0005802865.tif 000008